(57)【要約】  【課題】顔面の肌乾湿度合いは年代や生活環境によって個人差があることから、年代に見合った肌乾湿度と化粧後の肌乾湿度を測定し最適化粧品の選定方法の提供が課題であった。【解決手段】データ化した年代毎の化粧前肌乾湿度を標準設定値とし、測定時の肌乾湿度を読取り、データ分析と肌乾湿度を色彩に変換する半導体素子内蔵の画像表示装置で肌乾湿度が判明できる仕組みによって、最適化粧品の選定で潤いある美肌かの確認もでき、美顔肌測定効果によって長期の保湿化粧方法でシワを減少させる効果により課題が解決できる。【選択図】図２
2011217987.tif 000002
【特許請求の範囲】
【請求項１】
人顔型のお面状に形成した繊維素地を二層にした内部の顔面側に、額面と頬面と目尻と顎面の顔面各部位に乾湿センサを内蔵した測定器は、年代毎化粧前の肌乾湿度をデータ入力し、このデータを肌乾湿度の標準設定値とし、測定時に個々の肌乾湿度を読取り、データ分析した肌乾湿度を色彩に変換する半導体素子内蔵の画像表示装置とで構成し連動作動させ、画像表示面には顔型形状と年代別美肌測定表を映し出させ、年代別美肌測定表には化粧前及び化粧後の測定値を顔面各部位毎に表示することを特徴とした美肌乾湿測定器付画像表示装置。  
【請求項２】
前記請求項１記載の発明において、年代毎化粧前の肌乾湿度が標準設定値にプラス３％及びマイナス３％までを標準設定値の許容範囲内とし、人顔型お面状を顔面に被せ測定時に標準設定値範囲内では、画面上に映し出した顔型形状の顔面部位が薄い青色で顔面部位部分を色彩表示し、及び、肌乾湿度が標準設定値よりプラス３％以上高い場合、湿度が多いと分析し顔面部位部分が青色に色彩表示し、又、肌乾湿度が標準設定値よりマイナス３％以下と少ない場合は湿度が少なく乾燥肌に近いと分析し、画面上の顔面部位部分が黄色に色彩表示する、しかも化粧前又は化粧後において夫々１回の測定により顔面各部位の肌乾湿度と色彩が一度に表示されることを特徴とした美肌乾湿測定器付画像表示装置。
【請求項３】
棒状の丸型に形成した先端に乾湿センサを内蔵した測定器は、年代毎の化粧前肌乾湿度を標準設定値としデータ入力し、測定時の肌乾湿度を読取り、データ分析と肌乾湿度を色彩に変換する半導体素子内蔵の携帯型式の画像表示装置とで構成し連動作動させ、或いは、携帯電話機を閉じた状態の枠内の適所に乾湿センサを設けて、顔面部位毎に肌乾湿度と色彩で画像表示する機能を内蔵した携帯電話機は、乾湿センサ部分を又は携帯型式の測定器を顔面部位に当てると、部位箇所のみが肌乾湿度として画像表示し、同時に顔面部位が標準設定値によって、請求項２記載の如く薄い青色か青色又は黄色の３色種の何れかの色彩で同一画面に表示されることを特徴とする美肌乾湿測定器付画像表示装置。  
【発明の詳細な説明】
【技術分野】
【０００１】
本発明は一般に、美肌乾湿測定器付画像表示装置に関する。より詳細には、化粧前の年代毎肌乾湿状態を調べ、乾湿度に合った適正な化粧品を使用することができる美肌乾湿測定器付画像表示装置。
【背景技術】
【０００２】
従来、化粧品をする前に肌湿度計等を用い顔面部位の乾湿度を測定し、化粧品選定の参考としているが、乾湿度と共に３色種による色彩で画像表示するシステムはなかった。又、乾湿度の測定も人顔型お面状に形成した測定器によって、顔面部位を一度で測定し結果をだす方法も従来の機種ではないことから、美肌乾湿測定器付画像表示装置の提供が必要であった。
【発明の開示】
【発明が解決しようとする課題】
【０００３】
美顔方法には色々な手法が存在するが、化粧に当たり顔面肌の乾湿を測定し、肌に見合った化粧品を用いるのが基本である。従って、顔面肌の乾湿度合いは年齢や生活環境によって個人差があることから、化粧する前段に基本的素肌の乾湿を知る必要がある。又、乾湿に合わせ化粧をするものの適正な化粧品かを確認することも重要な要素であり、化粧後に美肌かをチエックすることで化粧肌が適正な湿度で化粧されているかが確認できるようにしたのが、本願の測定器付画像表示装置であって、その提供によって課題が解決される。
【０００４】
本発明は、このような状況に鑑みて案出されたものであって、美肌乾湿測定器付画像表示装置の提供を目的としている。
【課題を解決するための手段】
【０００５】
本願請求項１に記載の、人顔型のお面状に形成した繊維素地を二層にした内部の顔面側に、額面と頬面と目尻と顎面の顔面各部位に乾湿センサを内蔵した測定器は、年代毎化粧前の肌乾湿度をデータ入力し、このデータを肌乾湿度の標準設定値とし、測定時に個々の肌乾湿度を読取り、データ分析した肌乾湿度を色彩に変換する半導体素子内蔵の画像表示装置とで構成し連動作動させ、画像表示面には顔型形状と年代別美肌測定表を映し出させ、年代別美肌測定表には化粧前及び化粧後の測定値を顔面各部位毎に表示することを特徴とするものである。
【０００６】
本願請求項２に記載の、前記請求項１記載の発明において、年代毎化粧前の肌乾湿度が標準設定値にプラス３％及びマイナス３％までを標準設定値の許容範囲内とし、人顔型お面状を顔面に被せ測定時に標準設定値範囲内では、画面上に映し出した顔型形状の顔面部位が薄い青色で顔面部位部分を色彩表示し、及び、肌乾湿度が標準設定値よりプラス３％以上高い場合、湿度が多いと分析し顔面部位部分が青色に色彩表示し、又、肌乾湿度が標準設定値よりマイナス３％以下と少ない場合は湿度が少なく乾燥肌に近いと分析し、画面上の顔面部位部分が黄色に色彩表示する、しかも化粧前又は化粧後において夫々１回の測定により顔面各部位の肌乾湿度と色彩が一度に表示されることを特徴とするものである。
【０００７】
本願請求項３に記載の、棒状の丸型に形成した先端に乾湿センサを内蔵した測定器は、年代毎のデータを入力設定させ、化粧前肌乾湿度を標準設定値とし、測定時の肌乾湿度を読取り、データ分析と肌乾湿度を色彩に変換する半導体素子内蔵の携帯型式の画像表示装置とに一体として連動作動し、或いは、携帯電話機を閉じた状態の枠内の適所に乾湿センサを設けて、顔面部位毎に肌乾湿度と色彩で画像表示する機能を内蔵した携帯電話機は、乾湿センサ部分を又は携帯型式の測定器を顔面部位に当てると、部位箇所のみが肌乾湿度として画像表示し、同時に顔面部位が標準設定値によって、請求項２記載の如く薄い青色か青色又は黄色の３色種の何れかの色彩で同一画面に表示されることを特徴とするものである。
【発明の効果】
【０００８】
本願発明の美肌乾湿測定器付画像表示装置は、化粧前に美顔肌の基礎となる肌乾湿度を測定し、しかも肌乾湿度と同時に３色種による色彩で画像表示で乾湿度を判定することで、一目瞭然に美肌乾湿度が分り、従って、長期の最適化粧方法によってシワを減少させる効果が期待できる。
【発明を実施するための最良の形態】
【０００９】
次に図面を参照して、本発明の好ましい実施の形態に係る美肌乾湿測定器付画像表示装置について詳細に説明する。図１は、本発明の好ましい実施の形態に係る顔型のお面に水分センサ配置を示した標準平面図である。人顔型のお面に形成した合成繊維素地を二層にした内部の顔面側に、肌の乾燥及び湿度を感知する乾湿センサを用い、顔型のお面１には目開口部３と鼻切開部４と口開口部５を設け、更に額部乾湿センサ６と右目尻部乾湿センサ７と左目尻部乾湿センサ８と右頬部乾湿センサ９と左頬部乾湿センサ１０と顎部乾湿センサ１１とで構成した顔型のお面１とした測定器である。この測定器を、例えば３分前後顔面上に被せ、年代毎に設定した化粧前の肌乾湿度の標準設定値と、化粧後の肌面湿度を読取り、データ分析変換する半導体素子の内蔵とＬＥＤ使用の画像表示装置とに連動し一体の構成により測定するものであり、化粧前及び化粧後の美顔肌の乾湿度を調べ、基礎化粧品の適正な選定に役立たせるものある。
【００１０】
図１において、年代毎化粧前の標準設定値（目安）にプラス３％マイナス３％（以下±の記号で表す）を許容範囲値とした場合、例えば、１０代（１０代は１８歳前後の女性のデータ）標準設定値４０％±３％＝３７％〜４３％となり、２０代の標準設定値３５％±３％＝３２％〜３８％、３０代の標準設定値２５％±３％＝２２％〜２８％、４０代の標準設定値１５％±３％＝１２％〜１８％、５０代の標準設定値１２％±３％＝９％〜１５％、６０代の標準設定値１０％±３％＝７％〜１３％、７０代の標準設定値８％±３％＝５％〜１１％、８０代の標準設定値５％±３％＝２％〜８％となり、年代毎の標準設定値に許容範囲値±３％として画像表示する。但し、好ましくは年代毎の標準設定値については、実験等でデータを収集し概ね目安となる数値のもとで表示し、又、許容範囲値を±３％の設定についても、根拠ある数値でないので自由に変えることができる。従って、１０代から８０代のデータを画像表示装置に読取らせ、実際の測定時に化粧前又は化粧後の乾湿度を分析し、比較表示させることができ、湿度が高いほど実年代より若い美肌であると言うことになる。
【００１１】
図２は、画像表示装置に画像例を示した標準立体正面図である。液晶等の画像表示面１２には、顔型のお面１と年代毎の美肌測定表２を表示させ、顔型のお面１の測定器を顔面上に３分前後被せると、肌乾湿度が標準設定値にプラス３％及びマイナス３％までを標準設定値の許容範囲値とし、測定時に標準設定値内の場合は、薄い青色で画面上の顔面部位部分に表示させ、及び、肌乾湿度が標準設定値よりプラス３％以上高い場合、湿度が多いと分析され、画面上の顔面部位部分が青色に表示し、又、肌乾湿度が標準設定値よりマイナス３％以下と少ない場合は湿度が少なく乾燥肌に近いと分析され、画面上の顔面部位部分が黄色に表示する。つまり、額部位色彩表示面１６と右目尻部位色彩表示面１７と左目尻部位色彩表示面１８と右頬部位色彩表示面１９と左頬部位色彩表示面２０と顎部位色彩表示面２１とが同時に画面に表示される機能を備えた仕組みである。更に画面上の顔面部位が乾湿センサの測定結果により肌乾湿度が標準設定値と異なる場合には３色種の色彩で顔型お面１に画像表示されるが、上記３色種の色表示は何色にでも自由に選定できる、しかも標準設定値の％値と連動し、半導体素子の内蔵によって変換する機能とした画像装置であって記録保存やプリンタもでき、又、好ましくはプライバシーの観点から認識番号の入力で電子証明書等により本人かを確認し過去の記録を閲覧できる仕組みとする。
【００１２】
図２において、画像表示面１２には、更に年代毎化粧前の美肌測定表を一覧表にした画面を映しだし、例えば標準設定値３５％±３％と表示し、更に、化粧前測定値と化粧後測定値として表面に、額面・右目尻・左目尻・右頬面・左頬面・顎面の各部位を記入させておき単位を％にし表示する、測定器で測定した結果を自動的に％値として分析変換し表示する仕組みである。又、当該装置には、スピーカー１３を備えると共に、キーボード面１４には操作に必要なキーを備える。例えば、電源スイッチキーと美肌測定キーと記憶媒体情報キーと０〜９までの数値キーと又は年代毎キー（１０代〜８０代）と上書キーと記録保存キーと取消しキー等の各種必要とするキーを配列したキーボードとし、特にＤＶＤ等音声を伴う場合には音声を発声させる必要からスピーカーも備えた画像表示装置であって、一般の電気を電源として用いる。
【００１３】
図３は、美肌乾湿測定器付画像表示装置の標準立体側面図である。画像表示装置に美肌乾湿測定以外にも付加価値として、例えば、ＳＤメモリカード挿入口２２とメモリーステック挿入口２３とＤＶＤ又はＨＤＤ挿入口２４とその他メモリーステックＰＲＯ等に情報を入力し、静止画又は動画とした記録媒体を、主に女性向け商品の種類と価格を身近で見られるよう、百貨店、アウトレットストア、スーパー、ドラッグストア、ホームセンター、家電量販店、自動車販売店等での取扱い商品と、マンガ等各種書籍短、冠婚葬祭作法、ペット、介護サービスの情報を収集データ化し、商品名・メーカー名又は産地名・購入可能店舗・参考価格、及び説明付とした商品別の情報、及び、フアッションと芸能人、その他女性が興味持つ情報を記憶媒体（例えば、ＭＯ，ＤＶＤ―ＲＡＭ，ＳＤメモリカード、メモリーステックＰＲＯ等）にデータを収録したソフトウエアを画像表示装置に挿入し画像で観ることができるようにし、キー操作又は画面タッチで画像が変わる機能を備え、化粧後等の合間に各種情報で楽しみながら知識を高める装置である。
【００１４】
図４は、携帯型鏡付画像表示装置を示した開いた状態の標準正面図である。棒状の丸型に
形成した棒状測定器２７の先端に棒状先端乾湿センサ２８を内蔵した測定器は、携帯型の構
造に鏡面３３を付けた液晶等の画像表示装置とに連動させ、棒状測定器２７を顔面の部位箇
所に当てると画像表示装置に、化粧前又は化粧後の肌乾湿度が顔面に当てた部分のみが測定
結果により肌乾湿度が％値として表示され、又、美肌測定が標準設定値の％値により、段落
（００１１）に記述のように薄い青色・青色・黄色の３種類の何れかの色彩で画像表示され
る機能の内蔵であって、化粧前に美肌の基礎となる乾湿度の測定によって、乾湿度に適した
最適化粧品の選定と化粧後の美肌をチエックでき、電源は充電池２９式とし又キーボード面
２６にはキー操作に必要な各種キーを備えた携帯型の美肌乾湿測定器付画像表示装置である。            
【００１５】
図５は、携帯型鏡付画像表示装置を示した閉じた状態の標準側面図である。目的と内容は
段落（００１３）に記載の通りであるが、ＤＶＤ等比較的大きい記憶媒体は使用できないが、
フラッシュメモリカード挿入口３０と３２によって、比較的小型の記憶媒体を用いることのできる画像表示装置であって、充電池２９を電源とした携帯型の鏡付画像表示装置である。
【００１６】
図には示していないが、携帯電話機を閉じた枠内、つまりカメラレンズの付いた面の少し
離れた所に乾湿センサを設け、又、携帯電話機の機能に年代毎に設定した化粧前の肌乾湿度
の標準設定値と、化粧後の肌面湿度を読取り、データを分析変換する半導体素子を内蔵し、
更に美肌に関する検索ソフトウエアを内蔵した携帯電話の画像表示装置は、乾湿センサ部分
を顔面の測定部位に当てると画像表示装置に、化粧前又は化粧後の肌乾湿度が顔面に当てた
部分のみが測定結果により肌乾湿度が標準設定値によって３色種の色彩で画像表示される、
一方、画像操作はソフトウエアによりメニュー検索で各種項目画面の内、美肌乾湿測定の画
像表示を選定しクリック又はタッチすると、年代別乾湿度に画面が変わり、乾湿センサの操
作開始で測定できるようにした。
【００１７】
携帯電話機で美肌乾湿度を測定する時は、通話状態に電話機を開き、メニュー検索で美肌
乾湿測定の画像表示を選定しクリック又は機種により画像表示面をなぞると、年代別乾湿度
に画面が変わり、更に、年代毎をキー操作で入力し、その後に乾湿センサ面を顔面部位に当
てると、画面上に肌乾湿度が標準設定値によって３色種の色彩で画像表示され、同時に年代
毎に設定した化粧前の肌乾湿度の標準設定値が％値として画像表示される仕組みであって、
記録保存又は取消し・削除ができ機能であって電話機を閉じて終わるものの、何時でも何処
でも手軽に美肌乾湿度をチエックできるようにした携帯電話機である。
【産業上の利用可能性】
【００１８】
本発明は、化粧前に美顔肌の基礎となる乾湿度を測定し、最適化粧品の選定と化粧後の美顔肌をチエックし効果を確認することで、効率よい化粧美肌効果が期待できる画像表示装置を提供するもので産業上の利用は明白である。
【図面の簡単な説明】
【００１９】
【図１】本発明の好ましい実施の形態を示した顔型のお面に水分センサ配置の標準平面図である。
【図２】画像表示装置に画像例を示した標準立体正面図である。
【図３】美肌乾湿測定器付画像表示装置の標準立体側面図である。
【図４】携帯型鏡付画像表示装置を示した開いた状態の標準正面図である。
【図５】携帯型鏡付画像表示装置を示した閉じた状態の標準側面図である。
【符号の説明】
【００２０】
１  顔型のお面
２  美肌測定表
３  目開口部
４  鼻切開部
５  口開口部
６  額部乾湿センサ
７  右目尻部乾湿センサ
８  左目尻部乾湿センサ
９  右頬部乾湿センサ
１０  左頬部乾湿センサ
１１  顎部乾湿センサ
１２  液晶等画像表示面
１３  スピーカー
１４  キーボード面
１５  固定台
１６  額部位色彩表示面
１７  右目尻部位色彩表示面
１８  左目尻部位色彩表示面
１９  右頬部位色彩表示面
２０  左頬部位色彩表示面
２１  顎部位色彩表示面
２２  ＳＤメモリカード挿入口
２３  メモリーステック挿入口
２４  ＤＶＤ又はＨＤＤ挿入口
２５  携帯型画像表示面
２６  携帯対応キーボード面
２７  棒状測定器
２８  棒状先端水分センサ
２９  充電池
３０  コンパクトフラッシュ挿入口
３１  接続線
３２  ＳＤメモリカード挿入口
３３  鏡面
【図１】
2011217987.tif 000003
【図２】
2011217987.tif 000004
【図３】
2011217987.tif 000005
【図４】
2011217987.tif 000006
【図５】
2011217987.tif 000007